(57)【要約】【課題】空気還流装置を使用することなく、室内を循環する気流を作り出し、温度ムラ、冷え過ぎ、暖め過ぎを軽減し、暖房時には足元まで暖気が届く空気調和装置の室内機を提供する。【解決手段】室内機２は、本体の下面に位置する第１開口２１と、第１開口２１の周囲に配置される第２開口２２を備えている。冷房運転時、空気は、第１開口２１から吸い込まれ、第２開口２２から吹き出される。また、暖房運転時、空気は、第２開口２２から吸い込まれて、第１開口２１から吹き出される。このため、冷房運転時の空気の流れ方向と、暖房運転時の空気の流れ方向とが逆向きとなるので、空気の流れが下方から吸い込まれ側方から吹き出される様な一方向で固定された室内機と比較した場合、温度ムラ、冷え過ぎ、暖め過ぎを軽減し、且つ暖房時の暖気を足元まで届かせる性能が向上する。【選択図】図２
2009085541.tif 000002
【特許請求の範囲】
【請求項１】
空調対象空間から空気を吸い込み、空調された前記空気を前記空調対象空間へ吹き出す天井設置形の空気調和装置の室内機であって、
前記空気の吸い込みと吹き出しを行うファン（１３）と、
本体（２０）の下面に位置して冷房運転時に吸込口となる第１開口（２１）と、
を備え、
暖房運転時には、前記第１開口（２１）が吹出口となる、
空気調和装置の室内機（２）。
【請求項２】
冷房運転時に吹出口となる第２開口（２２）をさらに備え、
暖房運転時には、前記第２開口（２２）が吸込口となる、
請求項１に記載の空気調和装置の室内機（２）。
【請求項３】
前記第２開口（２２）から吹き出される空気の方向は、真下を向いていない、
請求項２に記載の空気調和装置の室内機。
【請求項４】
前記第２開口（２２）は、前記第１開口（２１）の周囲に配置されている、
請求項２に記載の空気調和装置の室内機（２）。
【請求項５】
吸い込まれた空気を通過させて塵埃を除去するフィルタ（６）と、
前記フィルタを移動させるフィルタ移動手段と、
をさらに備え、
冷房運転と暖房運転とが切り替えられるときに、前記フィルタ（６）の位置が切り替えられる、
請求項２に記載の空気調和装置の室内機。
【請求項６】
前記第１開口（２１）と前記第２開口（２２）との間には、
冷房運転時に空気を流通させるための第１流路と、
暖房運転時に空気を流通させるための第２流路と、
が形成されている、
請求項２に記載の空気調和装置の室内機（２）。
【請求項７】
冷房運転と暖房運転とが切り替えられるときに、前記ファン（１３）の送風方向が反転する、
請求項２に記載の空気調和装置の室内機（２）。
【請求項８】
前記第２開口（２２）の輪郭を拡大方向に移動させる開口面積拡大手段をさらに備えた、
請求項２に記載の空気調和装置の室内機（２）。
【請求項９】
冷房運転と暖房運転とが切り替えられるときに、前記フィルタ（６）の清掃が行なわれる、
請求項５に記載の空気調和装置の室内機（２）。
【請求項１０】
前記フィルタ移動手段が手動式である、
請求項５に記載の空気調和装置の室内機。
【請求項１１】
前記開口面積拡大手段が手動式である、
請求項８に記載の空気調和装置の室内機。
【発明の詳細な説明】
【技術分野】
【０００１】
本発明は、天井設置形の空気調和装置の室内機に関する。
【背景技術】
【０００２】
従来、室内の天井面に設置される空気調和装置の室内機では、空気を室内機本体の真下から吸い込み、空調された空気を略側方へ吹き出すため、暖房時に暖気が上方に偏り易く、足元まで暖気が届かないことがある。このため、空気吸入口および空気吹出口を有する送風機で還流して、室内の温度ムラを防止する方法が採られている（例えば特許文献１参照）。
【特許文献１】特開２００４−０６１０５９号公報
【発明の開示】
【発明が解決しようとする課題】
【０００３】
しかしながら、上記の方法では、空気調和装置及び空気還流装置が必要で、投資額が大きくなるため、小規模店舗などには不向きである。
【０００４】
本発明の課題は、空気還流装置を使用することなく、室内を循環する気流を作り出し、温度ムラ、冷え過ぎ、暖め過ぎを軽減し、暖房時には足元まで暖気が届く空気調和装置の室内機を提供することにある。
【課題を解決するための手段】
【０００５】
第１発明に係る空気調和装置の室内機は、空調対象空間から空気を吸い込み、空調された空気を空調対象空間へ吹き出す天井設置形の空気調和装置の室内機であって、空気の吸い込みと吹き出しを行うファンと、本体の下面に位置して冷房運転時に吸込口となる第１開口とを備えている。そして、暖房運転時には、第１開口が吹出口となる。
【０００６】
この室内機では、冷房運転時の空気の流れ方向と、暖房運転時の空気の流れ方向とが逆向きとなるので、空気の流れが下方から吸い込まれ側方から吹き出される様な一方向で固定された室内機と比較した場合、暖房時の暖気を足元まで届かせる性能が向上する。
【０００７】
第２発明に係る空気調和装置の室内機は、第１発明に係る空気調和装置の室内機であって、冷房運転時に吹出口となる第２開口をさらに備えている。そして、暖房運転時には、第２開口が吸込口となる。
【０００８】
この室内機では、冷房運転時の空気の流れ方向と、暖房運転時の空気の流れ方向とが逆向きとなるので、空気の流れが下方から吸い込まれ側方から吹き出される様な一方向で固定された室内機と比較した場合、温度ムラ、冷え過ぎ、暖め過ぎを軽減し、且つ暖房時の暖気を足元まで届かせる性能が向上する。
【０００９】
第３発明に係る空気調和装置の室内機は、第２発明に係る空気調和装置の室内機であって、第２開口から吹き出される空気の方向は、真下を向いていない。
【００１０】
この室内機では、少なくとも暖房運転時に、空気を側方から吸い込み下方へ吹き出す流れを作り出すことができるので、暖房時の暖気を足元まで届かせる性能が向上する。
【００１１】
第４発明に係る空気調和装置の室内機は、第２発明に係る空気調和装置の室内機であって、第２開口は、第１開口の周囲に配置されている。
【００１２】
この室内機では、第１開口と第２開口が一方向側だけに隣接しているタイプの室内機と比較して、空気の対流範囲がさらに広がるので、空調対象空間の温度分布が均一に近づく。
【００１３】
第５発明に係る空気調和装置の室内機は、第２発明に係る空気調和装置の室内機であって、吸い込まれた空気を通過させて塵埃を除去するフィルタと、フィルタを移動させるフィルタ移動手段とをさらに備えている。そして、冷房運転と暖房運転とが切り換えられるときに、フィルタの位置が切り換えられる。
【００１４】
この室内機では、空気が吸い込まれる側にフィルタを移動させることができるので、空気の流れ方向が逆向きになっても、吸い込まれる空気の塵埃が除去され、フィルタに付着している塵埃がフィルタから飛散することもない。
【００１５】
第６発明に係る空気調和装置の室内機は、第２発明に係る空気調和装置の室内機であって、第１開口と第２開口との間には、冷房運転時に空気を流通させるための第１流路と、
暖房運転時に空気を流通させるための第２流路と、が形成されている。
【００１６】
この室内機では、空気の流れ方向を確実に切り換えることができる。
【００１７】
第７発明に係る空気調和装置の室内機は、第２発明に係る空気調和装置の室内機であって、冷房運転と暖房運転とが切り換えられるときに、ファンの送風方向が反転する。
【００１８】
この室内機では、空気の流れ方向を切り換えることができるので、風路の切り換えが不要である。
【００１９】
第８発明に係る空気調和装置の室内機は、第２発明に係る空気調和装置の室内機であって、第２開口の輪郭を拡大方向に移動させる開口面積拡大手段をさらに備えている。
【００２０】
この室内機では、第２開口が吸込口として働くときに、開口面積を拡大して吸い込み量を増やすことができる。
【００２１】
第９発明に係る空気調和装置の室内機は、第５発明に係る空気調和装置の室内機であって、冷房運転と暖房運転とが切り換えられるときに、フィルタの清掃が行なわれる。
【００２２】
この室内機では、少なくとも季節毎にフィルタの清掃が行なわれるようになり、清掃の忘れ防止となる。また、フィルタが移動させるときの動作を清掃に利用することもできる。
【００２３】
第１０発明に係る空気調和装置の室内機は、第５発明に係る空気調和装置の室内機であって、フィルタ移動手段が手動式である。
【００２４】
この室内機では、駆動源が不要となるので、室内機の大型化及び高コスト化が抑制される。
【００２５】
第１１発明に係る空気調和装置の室内機は、第８発明に係る空気調和装置の室内機であって、開口面積拡大手段が手動式である。
【００２６】
この室内機では、駆動源が不要となるので、室内機の大型化及び高コスト化が抑制される。
【発明の効果】
【００２７】
第１発明に係る空気調和装置の室内機では、冷房運転時の空気の流れ方向と、暖房運転時の空気の流れ方向とが逆向きとなるので、空気の流れが下方から吸い込まれ側方から吹き出される様な一方向で固定された室内機と比較した場合、暖房時の暖気を足元まで届かせる性能が向上する。
【００２８】
第２発明に係る空気調和装置の室内機では、冷房運転時の空気の流れ方向と、暖房運転時の空気の流れ方向とが逆向きとなるので、空気の流れが下方から吸い込まれ側方から吹き出される様な一方向で固定された室内機と比較した場合、温度ムラ、冷え過ぎ、暖め過ぎを軽減し、且つ暖房時の暖気を足元まで届かせる性能が向上する。
【００２９】
第３発明に係る空気調和装置の室内機では、少なくとも暖房運転時に、空気を側方から吸い込み下方へ吹き出す流れを作り出すことができるので、暖房時の暖気を足元まで届かせる性能が向上する。
【００３０】
第４発明に係る空気調和装置の室内機では、第１開口と第２開口が一方向側だけに隣接しているタイプの室内機と比較して、空気の対流範囲がさらに広がるので、空調対象空間の温度分布が均一に近づく。
【００３１】
第５発明に係る空気調和装置の室内機では、空気が吸い込まれる側にフィルタを移動させることができるので、空気の流れ方向が逆向きになっても、吸い込まれる空気の塵埃が除去され、フィルタに付着している塵埃がフィルタから飛散することがない。
【００３２】
第６発明に係る空気調和装置の室内機では、空気の流れ方向を確実に切り換えることができる。
【００３３】
第７発明に係る空気調和装置の室内機では、風路を切り換えることなく、空気の流れ方向を切り換えることができる。
【００３４】
第８発明に係る空気調和装置の室内機では、空気を吸い込むときは、第２開口が吸込口として働くときに、開口面積を拡大して吸い込み量を増やすことができる。
【００３５】
第９発明に係る空気調和装置の室内機では、少なくとも季節毎にフィルタの清掃が行なわれるようになり、清掃の忘れ防止となる。また、フィルタが移動させるときの動作を清掃に利用することもできる。
【００３６】
第１０発明、第１１発明に係る空気調和装置の室内機では、駆動源が不要となるので、室内機の大型化及び高コスト化が抑制される。
【発明を実施するための最良の形態】
【００３７】
以下図面を参照しながら、本発明の実施形態について説明する。なお、以下の実施形態は、本発明の具体例であって、本発明の技術的範囲を限定するものではない。
【００３８】
＜室内機の構成＞
図１は、本発明の一実施形態に係る空気調和装置の室内機において、冷房運転時の空気の流れを併記した部分断面図である。図２は、本発明の一実施形態に係る空気調和装置の室内機において、暖房運転時の空気の流れを併記した部分断面図である。
【００３９】
図１、図２において、室内機２は、天井埋め込み形の室内機であって、フィルタ６と、室内熱交換器１２と、ファン１３と、それらを内部に収納する本体２０とを備えている。本体２０は、天井に埋め込まれる本体上部２０ａと天井から露出する本体下部２０ｂとが一体となっている。
【００４０】
フィルタ６は、本体下部２０ｂの内部に配置され、室内熱交換器１２及びファン１３は本体上部２０ａの内部に配置されている。ファン１３は、本体上部２０ａ内の中央に位置し、室内熱交換器１２がファン１３を囲むように位置している。
【００４１】
本体下部２０ｂの下面には、第１開口２１が設けられている。また、本体下部２０ｂの４側面には、第１開口２１を囲むように第２開口２２が設けられている。
【００４２】
図１において、冷房運転時、ファン１３が正回転し、第１開口２１から空気が吸い込まれる。フィルタ６は、第１開口２１より空気流Ａも下流側に位置しており、第１開口２１から吸い込まれた空気から塵埃を除去する。その後、空気は、室内熱交換器１２で熱量を奪われて低温となり、第２開口２２から吹き出される。即ち、冷房運転時は、第１開口２１は吸込口となり、第２開口２２は吹出口となる。
【００４３】
図２において、暖房運転時、ファン１３が逆回転し、第２開口２２から空気が吸い込まれる。フィルタ６は、第２開口２２より空気流Ｂの下流側に位置しており、第２開口２２から吸い込まれた空気から塵埃を除去する。その後、空気は、室内熱交換器１２で熱量を奪って高温となり、第１開口２１から吹き出される。即ち、暖房運転時は、第２開口２２は吸込口となり、第１開口２１は吹出口となる。
【００４４】
＜フィルタの移動手段＞
図３は、フィルタを冷房運転時の位置で平面展開したときの展開図であり、図４は、フィルタを暖房運転時の位置で平面展開したときの展開図である。図３，図４において、１つの第１開口２１は、４つの第２開口２２に４方を囲まれている。そして、冷房運転時（図３参照）、第１開口２１は４個のフィルタ６で覆われ、暖房運転時（図４参照）、４つの第２開口２２それぞれは、対応するフィルタ６で覆われる。
【００４５】
フィルタ６は、運転モードが冷房から暖房に切り換えられたときは、図３の状態から図４の状態になり、運転モードが暖房から冷房へ切り換えられたときは、図４の状態から図３の状態となる。
【００４６】
（フィルタ６）
図５は図１のＸ部の拡大図であり、図６は図２のＹ部の拡大図である。図５，図６において、フィルタ６は、フィルタ本体を支える支持枠６ａを有している。本実施形態では、支持枠６ａは、エラストマで成形されており、外力によって容易に変形させられるが、外力が無くなると容易に復元される。なお、支持枠６ａの材質はエラストマに限定されるものではなく、ゴム、樹脂などの高分子材料からも選定される。フィルタ６の左右端の支持枠６ａには、ギアが噛み合うラック６１が形成されている。
【００４７】
（ローラー３１）
ローラー３１は、外周にピニオンギア３２を有しており、ギア駆動モータによって回転駆動される。ピニオンギア３２は、フィルタ６のラック６１と噛み合っているので、ピニオンギア３２が回転することによって、フィルタ６はガイド部材４１内を移動する。
【００４８】
（ガイド部材４１）
ガイド部材４１は、フィルタ６が移動するときの軌道となる案内溝４２を有している。この案内溝４２は、第１案内溝４２ａと第２案内溝４２ｂと第３案内溝４２ｃとが連なった溝であり、第１案内溝４２ａの長さは、フィルタ６の長手方向の約３分の２の長さに相当し、第２案内溝４２ｂの長さは、フィルタ６の長手方向の約３分の１の長さに相当する。第３案内溝４２ｃは、ピニオンギア３２の歯先円と同軸の円弧軌道を形成しており、第１案内溝４２ａの一端と第２案内溝４２ｂの一端とを結んでいる。この案内溝４２に沿ってフィルタ６は移動し所定の位置で停止する。フィルタ６の位置は、位置検知スイッチ５０によって検知される。
【００４９】
（位置検知スイッチ５０）
位置検知スイッチ５０は、第１案内溝４２ａ及び第２案内溝４２ｂの終端近傍に配置されている。位置検知スイッチ５０は、内部接点をボタン操作によって開閉するリミットスイッチであり、ボタンを押すレバー５０ａが外側に蝶番式で装着されている。レバー５０ａは、フィルタ６のコーナーと接触することによって回動してボタンを押し、このときにオン信号を出力する。
【００５０】
説明の便宜上、第１案内溝４２ａに配置されている位置検知スイッチ５０を第１スイッチ５１と呼び、第２案内溝４２ｂに配置されている位置検知スイッチ５０を第２スイッチ５２と呼ぶ。さらに、第１スイッチ５１がオンであるときのフィルタ６の位置を冷房位置と呼び、第２スイッチ５２がオンであるときのフィルタ６の位置を暖房位置と呼ぶ。
【００５１】
（制御部８）
図７は、制御部のブロック図である。図７において、制御部８は、ＣＰＵ８１とメモリ８２を内蔵しており、モータ駆動回路８３を介して各種モータを制御し、ファン駆動回路８４を介してファン１３の回転方向及び回転数を制御する。また、制御部８は、第１スイッチ５１及び第２スイッチ５２の信号に基づいて、フィルタ６の位置判定と移動制御を行なう。
【００５２】
（フィルタ６の動作）
電源投入後、制御部８は、フィルタ６の位置を判定するために、第１スイッチ５１及び第２スイッチ５２の出力信号を確認する。第１スイッチ５１がオンのときは、フィルタ６が冷房位置にあると判定し、第２スイッチ５２がオンのときは、フィルタ６が暖房位置にあると判断する。
【００５３】
ユーザーが冷房運転を選択したときは、第１開口２１が吸込口となるので、フィルタ６は冷房位置になければならない。第１スイッチ５１がオンのときは、フィルタ６の移動は不要であるが、第１スイッチ５１がオフで第２スイッチ５２がオンのときは、フィルタ６は、暖房位置にあるので、冷房位置まで移動させる必要がある。
【００５４】
そこで、制御部８は、ローラー駆動モータ３４でピニオンギア３２をｂ方向（図６参照）に回転させる。ピニオンギア３２は、フィルタ６のラック６１と噛み合っているので、フィルタ６は、第２案内溝４２ｂから第１案内溝４２ａに入る。そして、第１スイッチ５１がオン信号を出力したときに、冷房位置への移動が完了したと判断して、ローラー駆動モータ３４を停止させる。
【００５５】
一方、ユーザーが暖房運転を選択したときは、第２開口２２が吸込口となるので、フィルタ６は暖房位置になければならない。第２スイッチ５２がオンのときは、フィルタ６の移動は不要であるが、第２スイッチ５２がオフで第１スイッチ５１がオンのときは、フィルタ６は、冷房位置にあるので、暖房位置まで移動させる必要がある。
【００５６】
そこで、制御部８は、ローラー駆動モータ３４でピニオンギア３２をａ方向（図５参照）に回転させる。ピニオンギア３２は、フィルタ６のラック６１と噛み合っているので、フィルタ６は、第１案内溝４２ａから第２案内溝４２ｂに入る。そして、第２スイッチ５２がオン信号を出力したときに、暖房位置への移動が完了したと判断して、ローラー駆動モータ３４を停止させる。
【００５７】
（フィルタ６の清掃）
室内機２では、制御部８により定期的に、或いは使用者が必要とするときにリモコンによってフィルタ６が自動的に清掃される。以下、その仕組みについて説明する。
【００５８】
図５、図６において、本体下部２０ｂの下側面には、ダストボックス７０が脱着可能に取り付けられており、内部には、ブラシ７１が配設されている。このブラシ７１は、フィルタ６に接触しており、ブラシ駆動モータ７３によって回転駆動される。
【００５９】
たとえば、運転モードの切り換えによってフィルタ６が移動する際、ブラシ７１を回転させることによって、フィルタ６の表面に付着していた塵埃がダストボックス７０内に掻き落され、ブラシ７１に付着した塵埃は、櫛７２によってダストボックス７０内に掻き落される。ブラシ７１は、少なくともフィルタ６が移動している期間中は回転しており、その回転方向は、フィルタ６の進行方向に逆らう方向である。
【００６０】
フィルタ６の清掃は、運転モードの切り換え時以外に、定期的に、或いは使用者が必要とするときにリモコン操作によって行なうこともできる。
【００６１】
＜特徴＞
（１）
室内機２は、本体の下面に位置する第１開口２１と、第１開口２１の周囲に配置される第２開口２２を備えている。冷房運転時、空気は、第１開口２１から吸い込まれ、第２開口２２から吹き出される。また、暖房運転時、空気は、第２開口２２から吸い込まれて、第１開口２１から吹き出される。このため、冷房運転時の空気の流れ方向と、暖房運転時の空気の流れ方向とが逆向きとなるので、空気の流れが下方から吸い込まれ側方から吹き出される様な一方向で固定された室内機と比較した場合、温度ムラ、冷え過ぎ、暖め過ぎを軽減し、且つ暖房時の暖気を足元まで届かせる性能が向上する。また、室内機２では、冷房運転と暖房運転とが切り換えられるときに、ファンの送風方向が反転するので、空気の流れ方向を切り換えることができるので、風路の切り換えが不要である。
【００６２】
（２）
この室内機２では、フィルタ６が有するラック６１と、ローラー３１が有するピニオンギア３２とが噛み合っており、ローラー駆動モータ３４を回転させることによって、フィルタ６を第１開口２１側及び第２開口２２側のいずれか一方側へ移動させることができる。このため、第１開口２１と第２開口２２のいずれが吸込口となっても、空気が吸い込まれる側にフィルタ６を移動させることができるので、吸い込まれる空気の塵埃を除去することができる。また、空気の流れ方向が逆向きになっても、フィルタ６は吸込口側にあるので一度フィルタ６に付着した塵埃が飛散することがない。また、室内機２では、冷房運転と暖房運転とが切り換えられるときに、フィルタ６の清掃が行なわれるので、少なくとも季節毎にフィルタ６の清掃が行なわれるようになり、清掃の忘れ防止となる。また、フィルタ６が移動させるときの動作を清掃に利用しているので動作効率がよい。
【００６３】
＜第１変形例＞
運転モードが冷房運転から暖房運転に切り換えられたとき、冷房運転時に吹出口として機能していた第２開口２２が吸込口となるので、第２開口２２の開口面積を拡大することができれば、暖房能力を向上させる上で有利である。以下の第１変形例では、上記実施形態の一部を変更して、第２開口２２の開口面積の拡大を可能にしている。
【００６４】
図８は、第１変形例に係る室内機の冷房運転時の部分断面図であり、図９は、第１変形例に係る室内機の暖房運転時の部分断面図である。図８，図９において、本体下部２０ｂの第２開口２２より上側は、本体上部２０ａに固定されており、説明の便宜上、固定部２０ｃと呼ぶ。また、本体下部２０ｂの第２開口２２より下側は、下方へ移動することができ、説明の便宜上、可動部２０ｄと呼ぶ。
【００６５】
可動部２０ｄの移動は、昇降ユニット９０によって行なわれる。昇降ユニット９０はモータで回転するプーリー９１と、プーリー９１に巻き取られ、又は繰り出されるワイヤー９２を有している。昇降ユニット９０は、固定部２０ｃに収納されており、ワイヤー９２が固定部２０ｃを貫通して、可動部２０ｄに連結されている。昇降ユニット９０は、制御部８によって制御される。
【００６６】
図９において、昇降ユニット９０がワイヤー９２を繰り出す方向にプーリー９１を回転（以後、正回転と呼ぶ）させることによって、可動部２０ｄが下方へ移動する。可動部２０ｄは、最大で距離Ｄだけ移動し、このとき、ガイド部材４１の第２案内溝４２ｂは境界線４３で上下に分割される。
【００６７】
（可動部２０ｄの動作）
ユーザーが暖房運転を選択したときは、第２開口２２が吸込口となるので、制御部８は、昇降ユニット９０のプーリー９１を正回転させて、ワイヤー９２を繰り出し、可動部２０ｄを距離Ｄだけ降下させる。可動部２０ｄの降下量が距離Ｄに達したとき、ストッパー２３が固定部２０ｃの内壁に当たるので、それ以上は降下することはない（図９参照）。
【００６８】
また、フィルタ６は暖房位置になければならないので、制御部８は、ローラー駆動モータ３４でピニオンギア３２をａ方向（図８，９参照）に回転させる。そして、フィルタ６が、第１案内溝４２ａから第２案内溝４２ｂに入り、第２スイッチ５２がオン信号を出力したときに、暖房位置への移動が完了したと判断して、ローラー駆動モータ３４を停止させる。
【００６９】
一方、ユーザーが冷房運転を選択したときは、第２開口２２は吹出口となるので、暖房運転時よりも開口面積は小さくてもよい。そこで、制御部８は、昇降ユニット９０のプーリー９１を逆回転させて、ワイヤー９２を巻き取り、可動部２０ｄを距離Ｄだけ上昇させる。可動部２０ｄの上昇量が距離Ｄに達したとき、ストッパー２３が固定部２０ｃの内壁に当たるので、それ以上は上昇することはない（図８参照）。
【００７０】
また、フィルタ６は冷房位置になければならないので、制御部８は、ローラー駆動モータ３４でピニオンギア３２をｂ方向に回転させる。そして、フィルタ６が、第２案内溝４２ｂから第１案内溝４２ａに入り、第１スイッチ５１がオン信号を出力したときに、冷房位置への移動が完了したと判断して、ローラー駆動モータ３４を停止させる。
【００７１】
以上のように、第１変形例では、昇降ユニット９０によって、第２開口２２の開口面積を拡大させることができるので、第２開口２２が吸込口として働くときに、吸い込み量を増やすことができる。
【００７２】
＜第２変形例＞
上記の実施形態では、空気の循環方向を切り換えるために、ファン１３の回転方向を変更しているが、ファン１３の設置方向と風路を切り換えてもよい。図１０（ａ）は、第２変形例に係る室内機の冷房運転時の断面図であり、（ｂ）は、同室内機の暖房運転に切り換る前の断面図であり、（ｃ）同室内機の暖房運転時の断面図である。
【００７３】
図１０（ａ）において、可動室２５が、本体上部２０ａの外側上方に配置されており、ファン１３を収納できる程度の空間を有している。また、ファン姿勢制御モータ１００が、本体上部２０ａの外側側方に配置されており、その軸がファン１３の側面に連結されている。ファン姿勢制御モータ１００の制御は、制御部８が行なう。
【００７４】
冷房運転時、ファン１３は、回転軸を第１開口２１側に向けており、ファン１３が稼動することによって、空気は第１開口２１から吸い込まれ、冷房用風路１２１を通過して第２開口２２から吹き出される。なお、図中の２点鎖線矢印は、空気の流れ方向を示している。
【００７５】
図１０（ｂ）において、運転モードが冷房運転から暖房運転へ切り換えられたとき、ファン姿勢制御モータ１００は、ファン１３を１８０°反転させて可動室２５内に収納する。ファン１３と可動室２５とは、リンク機構で連接されており、ファン１３が１８０°反転すると同時に、可動壁２６が９０°回動してファン１３の周囲を空気が流通できるように第１窓２７と第２窓２８を形成する。その後、可動室２５は、第１開口２１の方向に降下し、本体上部２０ａ内に収納される。
【００７６】
図１０（ｃ）において、ファン１３は、回転軸を第１開口２１と反対側の方向に向けており、ファン１３が稼動することによって、空気は第２開口２２から吸い込まれ、暖房用風路１２２を通過して第１開口２１から吹き出される。なお、図中の２点鎖線矢印は、空気の流れ方向を示している。
【００７７】
以上にように、第２変形例では、冷房運転時に空気を流通させるための冷房用流路１２１と、暖房運転時に空気を流通させるための暖房用流路１２２とが形成されるので、空気の流れ方向を確実に切り換えることができる。
【００７８】
＜第３変形例＞
上記の第２変形例では、空気の循環方向を切り換えるために、ファン１３の姿勢と風路を変更しているが、２つのファンを配置して、使用するファンを切り換えてもよい。図１１は、第３変形例に係る空気調和装置の室内機の断面図である。図１１において、室内機２は、ファン１３と、暖房運転用の第２ファン１１３とを備えている。冷房運転時は、ファン１３が本体上部２０ａ内部にあって、第２ファン１１３は本体上部２０ａの可動壁１２６を挟んで外側に位置する。本体上部２０ａは天井裏に格納されているので、第２ファン１１３が室内から見ることはできない。
【００７９】
可動壁１２６は、本体上部２０ａの外側に配置された切り換えモータ２００の回転軸と連結されており、切り換えモータ２００が１８０°回転したときに、ファン１３と第２ファン１１３とが入れ替わる。ファン１３と第２ファン１１３とは、羽根の角度が正反対であり、回転方向が同じでも空気の流れる方向が逆転する。
【００８０】
切り換えモータ２００の制御は、制御部８で行なわれ、ユーザーが冷房運転を選択したときは、ファン１３が本体上部２０ａ内に入り、暖房運転を選択したときは、第２ファン１１３が本体上部２０ａ内に入るように、切り換えモータ２００が回転制御される。
【００８１】
＜その他＞
上記の実施形態では、ローラー３１をローラー駆動モータ３４で回転させて、フィルタ６を移動させているが、手動でローラー３１を回転させてもよく、或は、手動でフィルタ６をスライドさせてもよい。
【００８２】
また、上記の第１変形例では、可動部２０ｄを昇降ユニット９０で昇降させているが、可動部２０ｄを手動で昇降させてもよい。但し、手動で上昇させた場合は、可動部２０ｄが自重で降下しないように、ボルトなどにより、停止位置で固定させる必要がある。
【００８３】
また、上記の第３変形例では、可動壁１２６を切り換えモータ２００で回転させて、ファン１３と第２ファン１１３とを入れ換えているが、手動で可動壁２６を回転させよい。
【００８４】
また、ファン１３だけで、回転方向を変えずに空気の循環方向を変えるために、ファン１３の羽根の角度を可変にして、運転モード切り換え時に手動で角度を変えることも可能である。また、運転モード切り換え時に、羽根まるごと交換することも可能である。
【００８５】
以上のように、手動で行なうことにより、駆動源が不要となるので、室内機の大型化及び高コスト化が抑制される。
【産業上の利用可能性】
【００８６】
以上のように、本発明によれば、冷房運転時と暖房運転時とに応じて吸込口と吹出口と
を切り換えることができるので、天井埋め込み形、天井吊下げ形の空気調和装置の室内機に有用である。
【図面の簡単な説明】
【００８７】
【図１】本発明の一実施形態に係る空気調和装置の室内機において、冷房運転時の空気の流れを併記した部分断面図。
【図２】同室内機において、暖房運転時の空気の流れを併記した部分断面図。
【図３】フィルタを冷房運転時の位置で平面展開したときの展開図。
【図４】フィルタを暖房運転時の位置で平面展開したときの展開図。
【図５】図１のＸ部の拡大図。
【図６】図２のＹ部の拡大図。
【図７】制御部のブロック図。
【図８】第１変形例に係る室内機の冷房運転時の部分断面図。
【図９】第１変形例に係る室内機の暖房運転時の部分断面図。
【図１０】（ａ）第２変形例に係る室内機の冷房運転時の断面図。（ｂ）同室内機の暖房運転に切り換る前の断面図。（ｃ）同室内機の暖房運転時の断面図。
【図１１】第３変形例に係る室内機の断面図。
【符号の説明】
【００８８】
２  室内機
６  フィルタ
１３  ファン
２０  本体
２１  第１開口
２２  第２開口
３１  ローラー（フィルタ移動手段）
３２  ピニオンギア（フィルタ移動手段）
６１  ラック（フィルタ移動手段）
９０  昇降ユニット（開口面拡大手段）
１２１  冷房用風路（第１流路）
１２２  暖房用風路（第２流路）
【図１】
2009085541.tif 000003
【図２】
2009085541.tif 000004
【図３】
2009085541.tif 000005
【図４】
2009085541.tif 000006
【図５】
2009085541.tif 000007
【図６】
2009085541.tif 000008
【図７】
2009085541.tif 000009
【図８】
2009085541.tif 000010
【図９】
2009085541.tif 000011
【図１０】
2009085541.tif 000012
【図１１】
2009085541.tif 000013